(57)【要約】      （修正有）【課題】折畳み机を立脚して使用している時に、脚が突然倒れて周囲の者を怪我させることのないように、ロック部材を設けることによってＰＬ法に基づく安全基準をクリヤするようにした折り畳み机を提供する。【解決手段】天板１の裏面において、この天板１の左右の長辺に沿ってケタ２を夫々固設し、これらの前後両端近傍の四隅において、脚５を夫々回動可能に設け、左右の前記ケタ２の前後両端近傍において、これらの左右間に第一の梁３を夫々架設するとともに、左右一対の前記脚５の間に第二の梁７を架設する。かつ、前記第一の梁３と前記第二の梁７との間にステー８を架設し、この長手中央部において、一方の片割れと他方の片割れとをピンジョイントを介して曲折可能に連結し、かつこのピンジョイントに隣接してＬ字状のロック部材１０を設けて折畳み机を構成する。【選択図】図１
0003172559.tif 000002
【実用新案登録請求の範囲】
【請求項１】
天板（１）の裏面において、この天板（１）の左右の長辺に沿ってケタ（２）を夫々固設し、
これらの前後両端近傍の四隅において、脚（５）を夫々回動可能に設け、
左右の前記ケタ（２）の前後両端近傍において、これらの左右間に第一の梁（３）を夫々架設するとともに、
左右一対の前記脚（５）の間に第二の梁（７）を架設し、
かつ前記第一の梁（３）と前記第二の梁（７）との間にステー（８）を架設し、
この長手中央部において、一方の片割れ（８１）と他方の片割れ（８２）とをピンジョイント（８９）を介して曲折可能に連結し、
かつこのピンジョイント（８９）に隣接してロック部材（１０）を設け、
このロック部材（１０）は、梃子部（１０４）と係止部（１０５）とがほぼＬ字状に曲がって連設するとともに、この連設部近傍に軸受部（１０６）を設けた構成からなることを特徴とする折畳み机。
【請求項２】
前記ステー（８）に取っ手を固設するとともに、この取っ手に枢軸（１０２）を備え、
前記ロック部材（１０）は、前記軸受部（１０６）を介して前記枢軸（１０２）に枢設されることを特徴とする請求項１記載の折畳み机。
【請求項３】
前記第一の梁（３）と前記第二の梁（７）との間に、
前記ステー（８）を左右二箇所に夫々架設し、
かつ左右の前記ステー（８）の間に、前記取っ手を架設することを特徴とする請求項１又は２記載の折畳み机。
【請求項４】
前記ステー（８）に、前記取っ手を固設することを特徴とする請求項１又は２記載の折畳み机。
【請求項５】
左右一対の前記脚（５）の、夫々の脚先間を梁（６）によって連結し、
これらの連結した部位が湾曲していることを特徴とする請求項１記載の折畳み机。
【請求項６】
前記天板（１）の表面から前記脚（５）先までの高さが２８０ｍｍ〜５８０ｍｍであることを特徴とする請求項１記載の座り用の折畳み机。
【請求項７】
前記天板（１）の表面から前記脚（５）先までの高さが７００ｍｍ〜１１００ｍｍであることを特徴とする請求項１記載の立ち用の折畳み机。
【請求項８】
前記第一の梁（３）に、下方に向けて係止片（５０）を付設することを特徴とする請求項１記載の折畳み机。
【考案の詳細な説明】
【技術分野】
【０００１】
この開示は、脚を折り畳み又は起立可能とし、かつ、脚を立てて使用する時には、脚が突然折れることの無いように、曲折防止の機構を備えた折り畳み机に関する。詳しくは、折り畳み机を収納する時は、脚を折り畳み可能とし、一方、脚を立てて使用する時に、周囲の者が思いがけなく力を加えるようなことがあっても突然脚が折れて机が倒れることの無いように、曲折防止の機構を備えた折り畳み机に関する。
【背景技術】
【０００２】
従来、事務机、座卓や経机等は天板裏面に一定の長さの脚が設けられており、立ち用或いは座り用の机として専用されている。しかしながら、このような机は使用時には脚が安定しているが、机を使用しないときには脚の長さの分大きな収納スペースを必要とする。収納スペースを確保できない場合は、机を収納することができず、居住空間が狭められたりする。あるいは、机を運搬する通路が狭い場合、脚が嵩張るため壁等にぶつけて傷付ける等の恐れがある。
【０００３】
従来の折り畳み机の例を図１０に示し、折り畳み机Ｔは、長方形の化粧板からなる二点鎖線で示す天板１を有し、この裏面において、長辺に沿って一対のケタ２、２が、天板１に一体的に固設される。折り畳み机Ｔのフレーム構造は、左右のケタ２、２が長辺に沿って延び、これらを連結する第一の梁３、３が前後に設けられ、かつ、ケタ２の前後両端部において継ぎ手４を介し、脚５はピンジョイント４１を支点として回動し、折れる。左右の脚５、５には、これらの脚先を連結する梁６が設けられ脚を補強する。さらに、この梁６の上方で平行に左右の脚５、５を連結する第二の梁７が設けられている。そして、第一の梁３と第二の梁７とを連結するようにステー８が左右に夫々設けられ、かつ、左右のステー８、８の間に取っ手９が架設される。このように、第一の梁３と第二の梁７との間にリンク機構からなるステー８を架設することによって、天板１の裏側において脚５を曲折し、折り畳むことが可能となる。一方、折り畳み机を立てて使用する際、ステー８は第一の梁３と第二の梁７との間の突っ支い棒としての機能を有し、ケタ２と脚５との角度を直角に保つ。このような構造の床からの高さが約３３０ｍｍの折り畳み机を、例えば幼稚園で脚を立てて座り机として使用している。例えば、複数の園児が机の天板を囲んで折り紙などをしている時に、不意に園児の一人が梁６を外側から足で踏みながら、取っ手９を図の手前側の矢印Ａ方向へ引っ張ったために、左右のステー８、８がくの字に曲がり、突然脚５、５が継ぎ手４のピンジョイント４１を支点として回動して園児の側へ倒れた。その時、園児の足が第二の梁７と梁６戸の間に挟まれて怪我をするようなことがあった。近年では、このような折り畳み机の製造者には、ＰＬ法に基づく安全基準を遵守することが義務づけられており、製造者は使用者を安全な折り畳み机を製作しなければならない。
【０００４】
そこで、本件出願人はステー部にストッパを付設した折畳み机に関する考案を提案した（例えば、特許文献１参照）。この折畳み机は、折畳み机の脚を立てて使用する場合、脚が不意に倒れて使用者を怪我させことが無く、かつ、ＰＬ法に基づく安全基準をクリヤする折り畳み机を提供することを目的とする。そして、その構成は図１１に示すように、天板１の裏面において、この天板の対向する夫々の長辺に沿って一対のケタ２、２を固設するとともに、これらのケタの両端近傍に夫々脚５、５、５、５を設け、これらの脚を夫々起立又は折畳み可能にするためにステー８を設けた折畳み机において、前記ステーの曲折部にストッパ１００を覆設することを特徴とする。左右のステー８、８は、取っ手９によって連結されている。このストッパの詳細を以下に説明する。右方のステー８の長手方向中央部の曲折部において、ステー８の外周面にストッパ１００を覆設し、この部位を拡大して図１２に示す。ストッパ１００は、ステー８の一方の片割れ８１と他方の片割れ８２とを連結するピンジョイント８９の部位を表側から覆うように設けられる。ストッパ１００は、ステー８の他方の片割れ８２に回動可能に設けられ、この部位においてストッパ１００は面１１の穴１１２に挿着したピンジョイント１４を支点として矢印Ｊ、Ｊの方向へ回動可能である。ストッパ１００の面１１の左方端部において、面１１の穴１１１へピン１５を挿着する。ピン１５は、脱落しないように鎖を介してピンジョイント１４に係留されている。この時、ストッパ１００はステー８のピンジョイント８９の部位を表側から覆う位置に固定されるので、ステー８は曲折しない。従って、取っ手９を矢印Ａ方向へ引っ張っても、脚が折れて机が倒れるようなことが無い。
【０００５】
【特許文献１】実用新案登録第３１６８０５４号公報
【考案の開示】
【考案が解決しようとする課題】
【０００６】
以上の通りであって、従来の折り畳み机には次のような問題点がある。
【０００７】
折り畳み机を幼稚園で脚を立てて座り机として使用する。複数の園児が天板を囲んで折り紙などをしている時に、不意に園児の一人が梁を足で踏みながら、取っ手を手前側に引っ張ったために、ステーが手前側にくの字に曲がって突然脚が園児側へ倒れたことがあった。その時、園児の足が梁の間に挟まり怪我した。近年では、このような折り畳み机の製造者にはＰＬ法に基づく安全基準を遵守することが義務づけられている。この園児の例では、製造者がＰＬ法に基づく安全基準を遵守する配慮に欠け、園児に怪我をさせてしまった。
【０００８】
そこで、出願人はステーに曲折防止用のストッパを設けることを提案した。図１１に示したように、ストッパ１００は、ステー８の一方の片割れ８１と他方の片割れ８２とを連結するピンジョイント８９の部位を表側から覆うように設けられる。そして、図１２にその詳細を示し、ストッパ１００は、ステー８の他方の片割れ８２に回動可能に設けられ、この部位においてストッパ１００は面１１の穴１１２に挿着したピンジョイント１４を支点として矢印Ｊ、Ｊの方向に回動可能である。ストッパ１００の面１１の左方端部において、面１１の穴１１１へピン１５を挿着すると、ストッパ１００は面１１の穴１１２に挿着したピンジョイント１４を支点として矢印Ｊ、Ｊの方向へ回動しなくなる。このような、一連の操作によって、ステー８の一方の片割れ８１と他方の片割れ８２とが、曲折しなくなるので、脚５が折れなくなるのでストッパとしての機能を果たす。きちんと、このような一連の動作に基づいてストッパを位置決めすると、脚が折れず然脚が園児側へ倒れるようなことが生じなかった。しかしながら一連の動作において、先ず、ストッパをピンジョイントの部位を覆うために位置決めする第一の動作をし、次いで穴へピンを挿着する第二の動作をしなければならず、二動作になって面倒である。また、用済み後机を折り畳む場合も、逆の動作をするので二動作になって面倒である。更に、このようなストッパの位置決め、取り外しの動作をする場合、ピンを外し忘れ、或いはピンジョイントの部位から矢印Ｊ、Ｊの方向に回動する際にストッパを外し忘れがちである。そのため、薄い板金性のストッパを掛けたまま脚を折り曲げることがあり、薄い板金製のストッパが曲がって壊れる。
【０００９】
そこで、本開示の折畳み机は、このような従来の抱える問題点を解決するためになされたもので、折畳み机を立脚して使用している時に、脚が突然倒れて周囲の者を怪我させることのないように、ロック部材を設けることによってＰＬ法に基づく安全基準をクリヤするようにした折り畳み机を提供することを目的とする。また、ロック部材を位置決めする際に、或いは外す際に、夫々一動作で済むようにし、かつ、これらの動作を稀にやってもロック部材を壊すことのないように操作性に優れた折り畳み机を提供することを目的とする。
【課題を解決するための手段】
【００１０】
本考案者は、弦巻きバネを使用したステーが幼児の力でも屈曲することがあることに気付いた。このため、機械的に確実に、しかも一回の動作で脚を屈曲防止するための機能を設ける着想へと展開し、これに基づき折畳み机を試作したところ確実にステーを真直ぐに保持することができるという知見を得た。本考案者のロック部材を備える折畳み机はかかる知見を基に具体化したもので、請求項１の考案は、天板（１）の裏面において、この天板（１）の左右の長辺に沿ってケタ（２）を夫々固設し、これらの前後両端近傍の四隅において、脚（５）を夫々回動可能に設け、左右の前記ケタ（２）の前後両端近傍において、これらの左右間に第一の梁（３）を夫々架設するとともに、左右一対の前記脚（５）の間に第二の梁（７）を架設し、かつ前記第一の梁（３）と前記第二の梁（７）との間にステー（８）を架設し、この長手中央部において、一方の片割れ（８１）と他方の片割れ（８２）とをピンジョイント（８９）を介して曲折可能に連結し、かつこのピンジョイント（８９）に隣接してロック部材（１０）を設け、このロック部材（１０）は、梃子部（１０４）と係止部（１０５）とがほぼＬ字状に曲がって連設するとともに、この連設部近傍に軸受部（１０６）を設けた構成からなることを特徴とする折畳み机である。請求項２の考案は、請求項１の考案の上記特徴に加えて、前記ステー（８）に取っ手を固設するとともに、この取っ手に枢軸（１０２）を備え、前記ロック部材（１０）は、前記枢軸（１０２）に枢設されることを特徴とする折畳み机である。請求項３の考案は、請求項１又は２の考案の上記特徴に加えて、前記第一の梁（３）と前記第二の梁（７）との間に、前記ステー（８）を左右二箇所に夫々架設し、かつ左右の前記ステー（８）の間に、前記取っ手を架設することを特徴とする折畳みである。請求項４の考案は、請求項１又は２の考案の上記特徴に加えて、前記ステー（８）に、前記取っ手を固設することを特徴とする折畳みである。請求項５の考案は、請求項１の考案の上記特徴に加えて、左右一対の前記脚（５）の、夫々の脚先間を梁（６）によって連結し、これらの連結した部位が湾曲していることを特徴とする折畳みである。請求項６の考案は、請求項１の考案の上記特徴に加えて、前記天板（１）の表面から前記脚（５）先までの高さが２８０ｍｍ〜５８０ｍｍであることを特徴とする折畳みである。請求項７の考案は、請求項１の考案の上記特徴に加えて、前記天板（１）の表面から前記脚（５）先までの高さが７００ｍｍ〜１１００ｍｍであることを特徴とする折畳みである。請求項８の考案は、請求項１の考案の上記特徴に加えて、前記第一の梁（３）に、下方に向けて係止片（５０）を付設することを特徴とする折畳みである。
【考案の効果】
【００１１】
本開示の折畳み机は、脚を曲折させるために設けたステー部に曲げ防止機能を有するロック部材を設けたので、脚を立てて使用している時に、脚が突然倒れて使用者を怪我させるようなことが無い。更に、ロック部材は、取り扱いが二動作になる等面倒なことを避ける機構にしたので、操作性に優れ使い勝手が良い。そして、ＰＬ法に基づく安全基準をクリヤし、使用者を怪我させることの無い等の効果を奏するものである。
【考案を実施するための最良の形態】
【００１２】
本考案の実施の形態を、添付図面に示した本考案の実施例に基づいて以下に具体的に説明
する。
【実施例】
【００１３】
先ず、本実施例について、図１〜図９を参照しながら説明する。図１は、本考案の実施例におけるステーにロック部材を備える座り用の折畳み座り机の全体斜視図である。図２は、脚を折り畳んだ状態の折畳み座り机の全体斜視図である。図３は、ステーの屈曲を防止する機能を有するロック部材の拡大図である。図４は、ロック部材を表側から見た斜視図である。図５は、ステーの真直した状態を天板の裏側から見た斜視図である。図６は、ステーの屈曲した状態を天板の裏側から見た斜視図である。図７は、座り用の折畳み机の他の実施態様を示す図である。図８は、梁に係止片を設けた状態を示す斜視図である。図９は、立ち用の折畳み机の実施例を示す全体図である。
【００１４】
折畳み机の脚を立てた状態を図１に示し、折り畳み机Ｔは、二点鎖線で示す長方形の化粧板からなる天板１を有し、この裏面において、長辺に沿って前後方向に棒状のケタ２、２が、天板１に一体的に固設される。本実施例は床に座って座り机として使用する座り用の折り畳み机である。以下、本実施例の折り畳み机は天板の長辺に沿って前後方向と称し、短辺に沿って左右方向と称し、脚と天板の方向を上下方向と称する。また、脚の天板側先端を脚元と称し、床側先端を脚先と称する。折り畳み机Ｔのフレーム構造は、左右のケタ２、２が前後方向に延び、これらの間に第一の梁３、３がほぼ前後端部において左右方向に２箇所架設される。かつ、ケタ２の前後両端部において継ぎ手４を介して脚５の脚元がピンジョイント４１を支点として回動し、脚５を曲折可能に、即ち、折り畳み自在に設けられる。左右の脚５、５には、これらの脚先同士を連結する梁６が設けられ脚の左右間を補強する。さらに、この梁６と平行に、左右の脚５、５を連結するように、これらの間に第二の梁７が左右方向に架設され、更に脚の左右間が補強される。そして、第一の梁３と第二の梁７の間にステー８が左右二箇所に夫々架設され、これらの一方、例えば図示左方のステー８の長手中央部に隣接してロック部材１０を備え、この詳細は後述する。ここで、ロック部材１０はステーの曲折を拘束し、ひいては脚の曲折を防止する機能を有する。そして、左右のステー８、８の夫々の側面に棒状の取っ手９の両端部が固設され、取っ手９は左右のステー８、８の間に架設される。図示のように、第一の梁３と第二の梁７との間の左右二箇所にステー８を架設することによって、天板１の裏側へ脚５を回動し、折り畳むことが可能となる。脚を立てて使用する場合、ステー８は、第一の梁３と第二の梁７との間の突っ支い棒としての機能を有し、ケタ２と脚５との角度を直角に保つ。本実施例のロック部材を備える折畳み座り机の天板の寸法は、例えば、長辺で１８００ｍｍ、短辺で４５０ｍｍであり、天板の表面から脚先までの高さは２８０ｍｍ〜５８０ｍｍである。これらの全ての高さにおいてディスプレイの台、陳列用や雛段の台としても便利に使うことができる。特に、高さが低い場合は洋裁、和裁用の机として使い勝手が良い。
【００１５】
次に、折畳み机の脚を折り畳み、天板を外したフレーム構造を図２に示す。棒状のケタ２が前後方向に延び、これらの両端部において脚５が裏側へ折れて重なり、左右の脚５、５の下端部を連結する梁６は裏側で梁２、２の裏面に接触する。図示のようにステー８は長手中央部位において脚が折れ曲がって裏側同士が向き合って重なり、左方のステー８の折れた部位の裏側にロック部材１０を示す。図示のように、ロック部材１０を前後対角の２箇所に設ける。なお、図２〜図８では、天板の裏側の構成を解り易くするために天板を省略してある。
【００１６】
本考案の主な特徴となるロック部材の取付け状態を裏側から見て図３に示す。同図では、ステー８の上方端は第一の梁３に連結され、ステー８の下方端は第二の梁７に連結される。詳しくは、ステー８の上方端は第一の梁３に回動可能にピンジョイントジョイントにより連結され、下方端は第二の梁７に回動可能にピンジョイントジョイントにより連結されている。これらの機構を更に詳しく説明すると、第一の梁３に固着されたコ字具８３のピンジョイント８５にステー８の上方端が連結され、第二の梁７に固着されたコ字具８４のピンジョイント８６にステー８の下方端が連結されている。即ち、ステー８の一方の片割れ８１が第一の梁３に溶着されたコ字具８３のピンジョイント８５を介して連結され、他方の片割れ８２が第二の梁７に溶着されたコ字具８４のピンジョイント８６を介して連結されている。ステー８の一方の片割れ８１と他方の片割れ８２とは、長手中央部においてピンジョイント８９を介して連結されている。一方の片割れ８１の係止部８７と他方の片割れ８２の係止部８８との間で弦巻バネ６０が例えば伸びた状態では、ステー８の一方の片割れ８１と他方の片割れ８２との間に弦巻バネ６０の収縮しようとする力が作用するので、一方の片割れ８１と他方の片割れ８２は中央のピンジョイント８９の部位で折れ曲がることなく真直状態を保つ。また、左右のステー８、８は取っ手９によって左右方向に連結され、本図では一方の片割れ８１の側面に取っ手９が固設されている状態を示す。取っ手９には、枢軸１０２を備え、全体がＬ字状のロック部材１０は、この軸受部１０６を介して枢軸１０２に枢設される。ロック部材１０は、ほぼＬ字状に曲折したレバー本体部１０１からなる。即ち、ロック部材１０は、棒状の梃子部１０４と棒状の係止部１０５とがほぼＬ字状に曲がって連設するとともに、この連設部近傍に軸受部１０６を設けた構成からなる。そして、棒状の係止部１０５の先端部に鍵状に折れた係止部位を備える。また、軸受部１０６には、枢軸１０２が貫通して設けられ、この枢軸１０２には捩じりバネ１０３が貫設されている。
【００１７】
ロック部材を拡大して表側から見た状態を図４に示す。ロック部材１０は、ステー８の一方の片割れ８１と他方の片割れ８２とを連結するピンジョイント８９に隣接して設けられる。ロック部材１０は、左右のステー８、８を連結する取っ手９に回動可能に設けられる。即ち、左右のステー８、８の一方の片割れ８１、８１の側面に取っ手９の両端部が固設され、この取っ手９に枢軸１０２を備え、この枢軸１０２を介してロック部材１０が枢着される。
【００１８】
ステーが真直に延びた状態のその裏側から見たロック部材取付け構造について図５を参照しながら詳細を説明する。同図（ａ）ではステー８が第一の梁３と第二の梁７との間で真直した状態を示し、同図（ｂ）では同様の状態において少し角度を変えて内側から見たもので、ロック部材の捩じりバネの取付けを理解できる。同図（ａ）に示すように、ステー８の一方の片割れ８１が第一の梁３に溶着されたコ字具８３のピンジョイント８５に連結され、他方の片割れ８２が第二の梁７に溶着されたコ字具８４のピンジョイント８６に連結されていることが解る。ステー８の一方の片割れ８１と他方の片割れ８２とは、長手中央部においてピンジョイント８９を介して回動可能に連結されている。ステー８が第一の梁３と第二の梁７との間で突っ張って真直ぐに延び、ステー８は、第一の梁３と第二の梁７との間において一方の片割れ８１の係止部８７と他方の片割れ８２の係止部８８との間で、弦巻バネ６０が真直ぐに伸び緊張状態を保っている。この状態で弦巻バネ６０はステー８の一方の片割れ８１と他方の片割れ８２との間で引っ張られているので、ステー８は、一方の片割れ８１と他方の片割れ８２は中央のピンジョイント８９の部位で弦巻きバネ６０の収縮しようとする力に抗し、堅固に真直状態を保っている。そして、Ｌ字状のロック部材１０は枢軸１０２を介して取っ手９に枢着されるとともに、ロック部材１０の鍵状の係止部１０５が、ステー８の片割れ８２の側面端８２１を抱いているので、ステー８は、一方の片割れ８１と他方の片割れ８２は中央のピンジョイント８９の部位でロック、拘束され折れ曲がることが無い。次に同図５（ｂ）に示すように、ロック部材１０の鍵状の係止部１０５が、ステー８の他方の片割れ８２の側面端８２１を抱いているので、ステー８は、一方の片割れ８１と他方の片割れ８２は中央のピンジョイント８９の部位でロック、拘束されて折れ曲がることが無い。このことによって、脚５は立脚して状態を保つことができる。ここで、ロック部材１０は、Ｌ字状のレバー本体部１０１と軸受部１０６からなる。このレバー本体部１０１は、棒状の梃子部１０４とほぼＬ字に曲がる棒状の係止部１０５とが連設する構成からなり、そして、軸受部１０６を貫通する枢軸１０２の裏側に捩じりバネ１０３が貫設されている。また、棒状の係止部１０５の先端には鍵状の係止部位を備える。そして、捩じりバネ１０３の一方端部Ｈが取っ手９に係止され、他方端部Ｇが梃子部１０４の裏面に係止されるので、この捩じりバネ１０３によってロック部材１０が枢軸１０２を支軸として回動することが拘束される。即ち、捩じりバネ１０３の付勢力によってロック部材１０の鍵状の係止部１０５が、ステー８の片割れ８２の側面端８２１を抱いた状態にあり、ロック部材１０が枢軸１０２を支軸として回動しないように拘束する。このようにして、ステー８における一方の片割れ８１と他方の片割れ８２は、中央のピンジョイント８９の部位で折れ曲がることなく弦巻きバネ６０の復元力に対抗して真直状態を保っている。ひいては立脚した状態を保つことができる。
【００１９】
次に、ステーを曲折させる状態を図６に示す。同図（ａ）ではステー８を表側から見たもので、同図（ｂ）では、裏側から見た状態を示す。脚先の梁６を足で踏んで固定し（図１参照）、かつ、枢軸１０２を支軸として梃子部１０４を矢印Ｂ方向へ回動しながら、次に、同図（ｂ）に示すように、机の外側から取っ手９を矢印Ａ方向へ引くと、ステー８は中央のピンジョイント８９の部位から折れ、くの字状に曲折する。このくの字状に曲折するのは、ステーの中央部がピンジョイントによって連結され、かつ、両端部がピンジョイントよって回動可能に連結されているからである。即ち、ステー８の一方の片割れ８１と他方の片割れ８２は、中央部のピンジョイント８９を介して回動可能に連結され、ステー８の一方の片割れ８１が第一の梁３のピンジョイント８５に回動可能に連結され、ステー８の他方の片割れ８２が第二の梁７のピンジョイント８６に回動可能に連結されているからである。
【００２０】
以下に、ステーに設けたＬ字状のロック部材の作用について説明する。ステー８の長手中央部において、外周面にロック部材１０を付設し、これを拡大して表側から見た取付け状態を図４に示した。ロック部材１０は、ステー８の一方の片割れ８１と他方の片割れ８２とを連結するピンジョイント８９に隣接して設けられる。左右のステー８、８は、取っ手９によって左右方向に連結され、この取っ手９にロック部材１０が取り付けられる。詳しくは、ステー８の一方の片割れ８１にの側面に固設された取っ手９に、枢軸１０２を支軸としてロック部材１０が枢着される。同図５（ａ）、（ｂ）には、取っ手９にロック部材１０を取付けた状態を裏側から示す。図示のように、Ｌ字状のロック部材１０の棒状の係止部１０５の先端部には鍵状に折れた係止部位を備えている。この先端の鍵状の係止部位が、ステー８の他方の片割れ８２の側面端８２１に係止されるので、ステー８の一方の片割れ８１と他方の片割れ８２とを連結する中央のピンジョイント８９の部位がロックされ、ステー８の曲折が拘束される。ステー８が長手中央のピンジョイント８９の部位から折れないので、脚５は立脚した状態を保つ。ロック部材１０は、全体的にＬ字状のレバー本体部１０１からなり、このレバー本体部１０１は、梃子部１０４とこれに対して直角方向に曲がる係止部１０５及び、梃子部１０４から逆方向直角の軸受部１０６からなり、そして枢軸１０２に捩じりバネ１０３が貫設されている。図５（ｂ）に示すように、捩じりバネ１０３は、枢軸１０２の裏側に貫設され、その一方端部Ｈが取っ手９に係止され、拘束され、他方端部Ｇが梃子部１０４の裏面に係止され、ロック部材１０の回動を拘束している。即ち、捩じりバネ１０３の付勢力に抗してロック部材１０の係止部１０５の先端部に備える鍵状の係止部位が、ステー８の片割れ８２の側面端８２１を押さえながら係止した状態を保つので、棒状の係止部１０５の鍵状の先端部は側面端８２１から外れない。従って、ステー８は一方の片割れ８１と他方の片割れ８２の中央のピンジョイント８９の部位で拘束され、真直したまま、脚５は立脚した状態を保つ。
【００２１】
一方、ステーの真直を解除し折れ曲がる状態を図６に示し、その作用について説明する。ロック部材１０を表側から見た状態を図６（ａ）に示し、裏側から見た状態を図６（ｂ）に示す。脚先を連結する梁６を足で踏んで固定し、かつ、枢軸１０２を支軸としてロック部材１０の梃子部１０４を矢印Ｂ方向へ回した儘、取っ手９を図の矢印Ａ方向へ引くと（図１参照）、ステー８は中央のピンジョイント８９の部位から折れ、くの字状に曲がる。即ち、捩りバネ１０３の付勢力に抗しながら梃子部１０４を、枢軸１０２を支軸として矢印Ｂ方向へ回動すると、反対側の係止部１０５が矢印Ｃ方向にステー８から離れ、ステー８が真直状態から解除される。梃子部１０４を矢印Ｂ方向へ回しながら取っ手９を図の矢印Ａ方向へ引くだけで、ステー８が真直状態から解除されるので操作性に優れる。係止部１０５がステー８の片割れ８２の側面端８２１から外れると、ステー８は中央のピンジョイント８９の部位から折れる。このようにして、左右のステー８が中央のピンジョイント８９の部位から折れながらくの字状に曲がり、同時に、四隅の脚５は隅の継ぎ手４のピンジョイント４１を支点として回動しながら曲折する。遂には脚５を天板の裏側へ折り曲げ、机の全体を扁平に畳むことができる（図２参照）。
【００２２】
次に、床に座って座り机として使用する座り用の折畳み机として使用する他の実施態様について説明する。図７では、天板を省略し、天板の寸法は例えば、長辺で１２００ｍｍ、１５００ｍｍ、１８００ｍｍ、短辺で４５０ｍｍ、６００ｍｍであり、天板の表面から脚先までの高さは２８０ｍｍ〜５８０ｍｍである。本実施態様の図１との主な相違点は、天板の裏側四隅に脚を回動するための継ぎ手を設けることなく、梁に直接脚を固着するとともに、左右の脚先と梁とが連結する部位が湾曲したところにある。本図では、ステーが見えるように、左右のケタの間に架設された梁３１のほぼ中央部を一部破断して示す。本折り畳み机Ｔのフレーム構造は、左右のケタ２、２が前後方向に延び、これら前後端部近傍の左右間に第一の梁３、３がケタの２箇所に架設される。そして、左右の脚５、５の夫々の脚先の間が梁６によって連結、一体化されるとともに、この梁６に平行でこの上方に左右の脚５、５を連結する第二の梁７が架設される。左右の脚先と梁６との連結部は角部が丸まった湾曲部Ｒを備え、梁６の両端部が湾曲している。更に左右のケタ２、２の前後両端部近傍において、夫々軸受２１、２１が設けられる。また、左右のケタ２、２の間に、第一の梁３、３に夫々平行に梁３１、３１が架設される。ここで、梁３１の両端部は、軸受け２１、２１に回転可能に貫設されている。梁３１はこのように構成され、脚５、５の上端部は、梁３１の左右Ｅ、Ｆにおいて、梁３１に夫々固設、例えば溶着されている。そして、第一の梁３と第二の梁７の間にステー８が架設され、ステー８の第一の片割れ８１の側面に取っ手９０が固設される。そして、この取っ手９０には枢軸１０２を備え、Ｌ字状のロック部材１０は軸受部１０６を介してこの枢軸１０２に枢設される。ここで、ステー８及びロック部材１０は、図１〜図６に示した実施態様と同様の構成を備えており、ステー８の第一の片割れ８１の上方端は第一の梁３に回動可能にピンジョイントジョイントにより連結され、第二の片割れ８２の下方端は第二の梁７に回動可能にピンジョイントジョイントにより連結されている。
【００２３】
以下に、この折畳み座り机の作用について説明する。脚５、５の上端は部位Ｅ、Ｆにおいて梁３１に固着されており、一方、梁３１は左右の軸受２１、２１を介して回動可能である。先ず、机の外側から脚先の梁６を足で踏んで固定しながら、ステー８の第一の片割れ８１に固着した取っ手９０を矢印Ａ‘のように図の手前側に引っ張ると、ステー８はピンジョイント８９の部位から折れる。同時に、脚５と梁３１は一体となって、軸受２１を支軸として回動して天板の裏側へ折れる。即ち、脚５を梁３の裏側に潜らせ折り畳むことができる。その他、脚先の左右コーナ部に湾曲部Ｒを設けることによって、例えば畳敷き、或いは化粧板敷きの床を痛めることがなく、所謂、床に優しい折畳み座り机を実現した。なお、ロック部材１０は、前後のステー８、８の２箇所に設ける。
【００２４】
その他、この折畳み机には脚を畳んで運搬する際に、突然脚が開くことの無いような工夫を施しており、図８に開脚防止機能を有する係止片の取付け状態を示す。同図（ａ）では、脚を立てて机の前後中央側から見た状態を示す。左右のケタ２、２の間に架設された梁３の左右ほぼ中央に小さい板状の係止片５０を下方に向けて例えばリベットで付設する。立脚した状態なので、第一の梁３と第二の梁７との間にステー８が突っ張っている。同図（ｂ）では、脚５を折り畳んだ状態を示し、下側にステー８も曲折している。係止片５０の先端部は梁７側へ出っ張る突起５１を有し、この突起５１によって第二の梁７の角部を抱えるように係止する。従って、脚を折り畳んで机を運搬する際に、脚が突然開くことが無いので、作業者を怪我させない。同図（ｃ）では、突起５１から第二の梁７が外れる状態を示す。係止片５０によって梁７を係止するためには、梁７は断面角材を使用することが好ましく、係止片５０の突起５１との引っ掛かりが良い。ただし、突起５１との引っ掛かりがあれば、角部が多少丸みをおびていても構わない。なお、係止片５０は、図１に示す折り畳み机にも同様に梁３に設け、下方の第二の梁７を係止することができる。また、後述する図９の折り畳み机にも梁３に係止片５０を設け、下方の第二の梁７を係止することができる。係止片５０の材質は鋼板、板状の樹脂或いは鋼片の表面にゴムを貼着したものが好ましい。係止片５０として、樹脂或いは鋼片の表面にゴムを貼着し場合、相手側の第二の梁７の塗装した表面を傷つけ無い。
【００２５】
以上の座り用の折り畳み机の他に、床に立って立ち机として使用する立ち用の折畳み机にロック部材を設ける。その実施態様を図９に示し、ステー８にロック部材１０を設ける。本実施態様のロック部材を備える折畳み机は、図１に示す折畳み机の脚を長くしたもので、天板の寸法は例えば、長辺で６００ｍｍ、９００ｍｍ、１２００ｍｍ、１５００ｍｍ、或いは１８００ｍｍがあり、短辺で３００ｍｍ、４５０ｍｍ、６００ｍｍ、７５０ｍｍ、９００ｍｍがあり、天板の表面から脚先までの高さは７００ｍｍ〜１１００ｍｍである。ロック部材１０を前後の２箇所に設ける。これら立ち用の机は、ディスプレイの台、陳列用や雛段の台としても便利に使うことができる。
【産業上の利用可能性】
【００２６】
なお、本考案の脚にロック部材を備える折畳み机の使途は、幼稚園等で座り机として使用する他に、事務所や店頭のカウンター等で使用する立ち机、デパート、スーパーマーケット等の店頭における、商品陳列棚にも適用できる。この場合、脚に不用意に力が加わっても、ステーにロック部材を設けるので、脚が折れて机が倒れるようなことが無く安全である。特に、天板の表面から脚先までの高さが低い場合は洋裁、和裁用の机として使い勝手が良い。また、全ての高さにおいて、ディスプレイの台、陳列用や雛段の台としても使うことができる。
【図面の簡単な説明】
【００２７】
【図１】本考案の実施例におけるステーにロック部材を備える座り用の折畳み座り机の全体斜視図である。
【図２】同上、脚を折り畳んだ状態の折畳み座り机の全体斜視図である。
【図３】同上、ステーの屈曲を防止する機能を有するロック部材の詳細図である。
【図４】同上、ロック部材を表側から見た斜視図である。
【図５】同上、ステーの真直した状態を天板の裏側から見た斜視図である。
【図６】同上、ステーの屈曲した状態を天板の裏側から見た斜視図である。
【図７】同上、座り用の折畳み机の他の実施態様を示す図である。
【図８】同上、梁に係止片を設けた状態を示す斜視図である。
【図９】同上、立ち用の折畳み机の実施例を示す全体図である。
【図１０】従来例を示す座り用の折畳み机の全体斜視図である。
【図１１】同上、他の座り用の折畳み机の全体斜視図である。
【図１２】同上、ステーにストッパを設けた状態を示す斜視図である。
【符号の説明】
【００２８】
Ａ、Ａ‘  、Ｊ  矢印
Ｅ、Ｆ  部位
Ｇ、Ｈ  端部
Ｔ 折り畳み机
Ｒ  湾曲部
１ 天板
２ ケタ
２１  軸受
３  第一の梁、３１  梁
４  継ぎ手
４１  ピンジョイント
５  脚
６  梁
７  第二の梁
８  ステー
８１  片割れ、８１１  側面端、８１２  側面、８１３  柄部
８２  片割れ、８２１  側面端、８２２  側面、８２３  柄部
８３、８４  コ字具
８５、８６  ピンジョイント
８７、８８  係止部
８９  ピンジョイント
９、９０  取っ手
１０  ロック部材
１００  ストッパ
１０１  レバー本体部、１０２  枢軸、１０３  捩りバネ、１０４  梃子部
１０５  係止部、１０６  軸受部
６０  弦巻きバネ
５０  係止片、５１  突起
【図１】
0003172559.tif 000003
【図２】
0003172559.tif 000004
【図３】
0003172559.tif 000005
【図４】
0003172559.tif 000006
【図５】
0003172559.tif 000007
【図６】
0003172559.tif 000008
【図７】
0003172559.tif 000009
【図８】
0003172559.tif 000010
【図９】
0003172559.tif 000011
【図１０】
0003172559.tif 000012
【図１１】
0003172559.tif 000013
【図１２】
0003172559.tif 000014